(57)【要約】【課題】  本発明は、破断用切込みが形成されていない通常のシールに印字を行った後に、不正貼り替え防止用シールに加工することができ、破断用切込みによって印字品質が劣化することがない印刷装置を提供することを課題とする。【解決手段】  破断用切込み形成機構としてのカットローラ８は、円筒状の基体８１と、基体８１の両側に形成され、基体８１とガイドローラ９との間隔を一定間隔に設定するベアラー部８２と、基体８１の周面に立設されている刃部８３とからなり、印字後のシール連続体３は、一対のベアラー部８２の挟まれた基体８１とガイドローラ９との間を通過するように搬送され、カットローラ８を回転駆動させることにより、カットローラ８に対向して配置されているガイドローラ９とカットローラ８との間を搬送される印字後のシール１に破断用切込みを形成する。【選択図】        図２
2005103999.tif 000002
【特許請求の範囲】
【請求項１】
貼付面に粘着材が塗布されたシールに印字を行う印字装置であって、
破断用切込みの形成を指示するか否かの入力を受け付ける入力手段と、
該入力手段から破断用切込みの形成を指示する破断用切込み形成指示入力がされた場合には、印字後の前記シールに破断用切込みを形成する破断用切込み形成機構を具備することを特徴とする印字装置。
【請求項２】
前記破断用切込み形成機構は、円筒状の基体と、該基体の周面に立設され、前記シールに破断用切込みを形成する刃部と、前記シールに対する前記刃部の到達地点を規制する到達地点規制手段とからなるカットローラであり、
該カットローラを回転駆動させることにより、前記カットローラに対向して配置されているガイドローラと前記カットローラとの間を搬送される印字後の前記シールに破断用切込みを形成することを特徴とする請求項１記載の印字装置。
【請求項３】
前記カットローラには、前記刃部が形成されていない通過領域が形成され、
前記入力手段から前記破断用切込み形成指示入力がされていない場合には、前記通過領域が前記ガイドローラに対向する位置にカットローラが固定されていることを特徴とする請求項２記載の印字装置。
【請求項４】
前記シールの長さと、前記カットローラの一周分の長さとに基づいて、前記カットローラの回転数と、前記カットローラの回転を開始する回転開始位置を決定するためのマージンとを算出する破断用切込み形成位置算出手段と、
該破断用切込み形成位置算出手段によって算出された前記カットローラの回転数および前記マージンとに基づいて、前記カットローラを回転駆動するカットローラ回転駆動手段とを具備することを特徴とする請求項２又は３記載の印字装置。
【発明の詳細な説明】
【技術分野】
【０００１】
本発明は貼付面に粘着材が塗布されたシールに印字を行う印字装置に関し、特に印字後のシールに破断用切込みを形成する印字装置に関する。
【背景技術】
【０００２】
従来、商品等の被貼付物に貼付したシールの不正貼り替えを防止するために、破断用切込みが形成された不正貼り替え防止用シールが存在する。被貼付物に貼付した不正貼り替え防止用シールを剥離しようとすると、破断用切込みにより破断された形状で剥離され、不正貼り替えを防止することができる（例えば、特許文献１参照）。
【０００３】
しかしながら、従来技術では、不正貼り替え防止用シールは、事前に必要な情報が印刷されていると共に、事前に破断用切込みが形成されている状態でユーザに供給されており、破断用切込みの加工コストによって割高になってしまうと共にユーザ側で自由に印字することができず、また仮に、破断用切込みが形成されているシールにユーザ側で印字を行う場合には、破断用切込みによって印字品質が劣化してしまうという問題点があった。
【特許文献１】特開平７−１４６６５１号公報
【発明の開示】
【発明が解決しようとする課題】
【０００４】
本発明は斯かる問題点を鑑みてなされたものであり、その目的とするところは、破断用切込みが形成されていない通常のシールに印字を行った後に、不正貼り替え防止用シールに加工することができ、破断用切込みによって印字品質が劣化することがない印字装置を提供する点にある。
【課題を解決するための手段】
【０００５】
本発明は上記課題を解決すべく、以下に掲げる構成とした。
請求項１記載の発明の要旨は、貼付面に粘着材が塗布されたシールに印字を行う印字装置であって、破断用切込みの形成を指示するか否かの入力を受け付ける入力手段と、該入力手段から破断用切込みの形成を指示する破断用切込み形成指示入力がされた場合には、印字後の前記シールに破断用切込みを形成する破断用切込み形成機構を具備することを特徴とする印字装置に存する。
また請求項２記載の発明の要旨は、前記破断用切込み形成機構は、円筒状の基体と、該基体の周面に立設され、前記シールに破断用切込みを形成する刃部と、前記シールに対する前記刃部の到達地点を規制する到達地点規制手段とからなるカットローラであり、該カットローラを回転駆動させることにより、前記カットローラに対向して配置されているガイドローラと前記カットローラとの間を搬送される印字後の前記シールに破断用切込みを形成することを特徴とする請求項１記載の印字装置に存する。
また請求項３記載の発明の要旨は、前記カットローラには、前記刃部が形成されていない通過領域が形成され、前記入力手段から前記破断用切込み形成指示入力がされていない場合には、前記通過領域が前記ガイドローラに対向する位置にカットローラが固定されていることを特徴とする請求項２記載の印字装置に存する。
また請求項４記載の発明の要旨は、前記シールの長さと、前記カットローラの一周分の長さとに基づいて、前記カットローラの回転数と、前記カットローラの回転を開始する回転開始位置を決定するためのマージンとを算出する破断用切込み形成位置算出手段と、該破断用切込み形成位置算出手段によって算出された前記カットローラの回転数および前記マージンとに基づいて、前記カットローラを回転駆動するカットローラ回転駆動手段とを具備することを特徴とする請求項２又は３記載の印字装置に存する。
【発明の効果】
【０００６】
本発明の印字装置は、印字後のシールに破断用切込みを形成する破断用切込み形成機構を設けることにより、破断用切込みが形成されていない通常のシールに印字を行った後に、不正貼り替え防止用シールに加工することができ、破断用切込みによって印字品質が劣化することがないという効果を奏する。
【０００７】
さらに、本発明の印字装置は、破断用切込み形成機構を、シールに破断用切込みを形成する刃部が形成されたカットローラで構成し、当該カットローラに刃部が形成されていない通過領域を形成することにより、複雑な機構を設けることなく、破断用切込みを形成するか否かを選択制御することができるという効果を奏する。
【０００８】
さらに、本発明の印字装置は、シールの長さと、カットローラの一周分の長さとに基づいて、カットローラの回転数およびマージンを算出することにより、シールの中央部分にのみ破断用切込みを形成することができ、破断用切込みがシールの端部にかかることを防止することができるため、印字後のシールを使い勝手の良い不正貼り替え防止用シールに加工することができるという効果を奏する。
【発明を実施するための最良の形態】
【０００９】
以下、本発明の実施の形態を図面に基づいて詳細に説明する。
【００１０】
図１は、本発明に係る印字装置の実施の形態の構成を示す概略構成図であり、図２は、図１に示すカットローラおよびガイドローラの構成を示す構成図である。
【００１１】
本実施の形態は、貼付面に粘着材が塗布されたシール１に印字を行う印字装置であり、図１を参照すると、シール１が台紙２に等間隔で仮着されているロール状のシール連続体３が装着される供給リール４と、シール連続体３を搬送するプラテンローラ５と、プラテンローラ５との間にシール連続体３を挟持してシール１に印字を行うサーマルヘッド６と、シール連続体３の裏面に印字されているタイミングマークにより印字基点を検出する印字基点検出用光センサ７と、印字後のシール１に破断用切込みを形成するカットローラ８と、カットローラ８に対向して配置されているガイドローラ９と、プラテンローラ５を回転駆動するプラテンローラ駆動部１０と、サーマルヘッド６を駆動して印字を行う印字制御部１１と、カットローラ８を回転駆動するカットローラ駆動部１２と、印字指示等の各種入力を受け付ける入力部１３と、印字基点検出用光センサ７による印字基点の検出タイミングに基づいてプラテンローラ駆動部１０、印字制御部１１およびカットローラ駆動部１２を制御する中央制御部１４とからなる。
【００１２】
破断用切込み形成機構としてのカットローラ８は、図２を参照すると、円筒状の基体８１と、基体８１の両側に形成され、基体８１とガイドローラ９との間隔を一定間隔に設定するベアラー部８２と、基体８１の周面に立設されている刃部８３とからなり、印字後のシール連続体３は、一対のベアラー部８２の挟まれた基体８１とガイドローラ９との間を通過するように搬送される。ベアラー部８２は、基体８１とガイドローラ９との間隔を一定間隔に設定することで、シール連続体３に対する刃部８３の到達地点を規制する到達地点規制手段として機能する。なお、ガイドローラ９は、フリーローラであっても、カットローラ８と連動して回転駆動されるように構成しても良い。
【００１３】
刃部８３の刃先とベアラー部８２の周面との段差Ｘは、台紙２の厚さと略同一に設定され、シール１に破断用切込みを形成する刃部８３が台紙２に届かないか、届いても台紙２を全切断しないようになっている。また、カットローラ８の周面には、刃部８３が立設されていない領域（以下、通過領域と称す）が形成されている。
【００１４】
カットローラ駆動部１２は、カットローラ８を回転駆動するステッピングモータ等の位置（回転角）制御が可能なモータであり、破断用切込みを形成しない場合には、通過領域がガイドローラ９に対向する位置（以下、ホームポジションと称す）にカットローラ８を固定し、破断用切込みを形成する場合には、プラテンローラ５によるシール連続体３の搬送速度に同期させてカットローラ８を回転駆動する。
【００１５】
入力部１３からは、印字内容を指定する印字内容指定入力、印字の実行を指示する印字指示入力、破断用切込みの形成を指示する破断用切込み形成指示入力、シール１の長さ（種類）を入力するシール特定入力等のシール１への印字および破断用切込み形成に係る入力が行われる。
【００１６】
中央制御部１４は、入力部１３からのシール特定入力に基づいてカットローラ８の回転数を算出すると共に、算出したカットローラ８の回転数に基づいてカットローラ８の回転開始位置を決定するためのマージンＮを算出し、カットローラ８の回転数とマージンＮとに基づいてカットローラ駆動部１２にカットローラ８の回転開始とカットローラ８の回転数を指示し、シール１における破断用切込みの形成位置を制御する。
【００１７】
次に、本実施の形態の破断用切込み形成動作について図３乃至図７を参照して詳細に説明する。
図３は、本発明に係る印字装置の実施の形態の破断用切込み形成動作を説明するためのフローチャートであり、図４は、本発明に係る印字装置の実施の形態の破断用切込みを形成しない場合の図１に示すカットローラの状態を説明するための説明図であり、図５は、本発明に係る印字装置の実施の形態の破断用切込みを形成する場合の図１に示すカットローラの動作を説明するための説明図であり、図６は、本発明に係る印字装置の実施の形態の破断用切込み形成動作によって形成された破断用切込み例を示す図であり、図７は、本発明に係る印字装置の実施の形態の破断用切込み形成動作によって形成された破断用切込み例を示す図である。
【００１８】
入力部１３から印字内容指定入力が行われ、印字の実行を指示する印字指示入力が行われると、中央制御部１４は、入力部１３から破断用切込み形成指示が入力されている否かを判断し（ステップＡ１）、破断用切込み形成指示が入力されていない場合には、カットローラ８による破断用切込み形成動作を実行することなく、通常の印字動作を行って処理を終了する。破断用切込み形成動作を実行しない場合には、カットローラ８は、図４に示すように、刃部８３が形成されていない通過領域がガイドローラ９に対向する位置、すなわちホームポジションに位置決めされている。ホームポジションでは、図４に示すように、基体８１の最下点Ｙよりも刃部８３の最下点Ｚが上方に位置するようになっており、印字後のシール連続体３は、刃部８３に触れることなくカットローラ８とガイドローラ９との間を通過し、装置外に排出される。
【００１９】
破断用切込み形成指示が入力されている場合には、中央制御部１４は、入力部１３からのシール特定入力に基づいてカットローラ８の回転数を算出する（ステップＡ２）。カットローラ８の回転数の算出は、シール１の長さＬをカットローラ８の一周分の長さＭ（ベアラー部８２の円周）で除算し、小数点以下を切り捨てることによってなされる。
【００２０】
次に、中央制御部１４は、ステップＡ２で算出したカットローラ８の回転数に基づいて、カットローラ８の回転開始位置を決定するためのマージンＮを算出する。
マージンＮの算出は、カットローラ８の一周分の長さＭにステップＡ２で算出したカットローラ８の回転数を乗算し、当該値をシール１の長さＬから減算して１／２にすることによってなされ、シール１の先端部からマージンＮの位置が回転開始位置となる。
【００２１】
次に、中央制御部１４は、プラテンローラ駆動部１０によってプラテンローラ５を回転駆動してシール連続体３を搬送すると共に、印字基点検出用光センサ７による印字基点の検出タイミングに基づいて印字制御部１１にシール１への印字を指示し、印字制御部１１は、サーマルヘッド６を駆動して搬送されるシール連続体３（シール１）の所定の位置に印字を行う。
【００２２】
次に、中央制御部１４は、印字基点検出用光センサ７による印字基点の検出タイミングとプラテンローラ駆動部１０によるシール連続体３の搬送距離とによって、印字後のシール１の回転開始位置が基体８１の最下点Ｙに到達することを検出し（ステップＡ４）、印字後のシール１の回転開始位置が基体８１の最下点Ｙに到達すると、カットローラ駆動部１２にカットローラ８の回転開始とカットローラ８の回転数を指示し、カットローラ駆動部１２は、ステップＡ２で算出したカットローラ８の回転数分、カットローラ８を回転駆動させ（ステップＡ５）、図５に示すように、刃部８３によってシール１に破断用切込みを形成する。
【００２３】
図６には、ステップＡ２で算出したカットローラ８の回転数が１回転である場合に形成される破断用切込み例を示し、また、図７には、ステップＡ２で算出したカットローラ８の回転数が２回転である場合に形成される破断用切込み例を示している。いずれの場合もステップＡ３でマージンＮを算出して印字後のシール１の回転開始位置を決定しているため、長さＬのシール１の中央部分に破断用切込み２０が形成され、破断用切込みがシール１の端部にかかることなく、印字後のシール１を使い勝手の良い不正貼り替え防止用シールに加工することができる。
【００２４】
なお、本実施の形態では、カットローラ８によって形成される破断用切込みの形状、すなわち刃部８３の形状をＸ字状としたが、破断用切込み（刃部８３）の形状は、不正貼り替え防止用シールを実現するものであれば、任意であり、刃部８３の形状が異なるカットローラ８を複数用意し、交換可能に構成するとユーザの要望を網羅することができる。
【００２５】
また、本実施の形態の印字装置がバックフィードを行うタイプである場合には、バックフィード時にも、カットローラ８は、図４に示すように、刃部８３が形成されていない通過領域がガイドローラ９に対向する位置、すなわちホームポジションに位置決めすると良い。
【００２６】
さらにまた、本実施の形態では、基体８１に刃部８３が形成されていない通過領域を設けるように構成したが、基体８１の全周に亘って均一に刃部８３を形成するようにしても良く、この場合には、カットローラ８を上下方向に昇降させることができる昇降機構を設け、破断用切込み形成指示が入力されていない場合には、カットローラ８を上方に移動させて印字後のシール連続体３は、刃部８３に触れることなくカットローラ８とガイドローラ９との間を通過させるようにすると良い。
【００２７】
さらにまた、本実施の形態では、シール１が台紙２に等間隔で仮着されているシール連続体３を用いた例について説明したが、印字対象として台紙２に仮着されていない台紙なしラベルを用いても良い。この場合には、刃部８３の刃先とベアラー部８２の周面との段差Ｘは、シール１の貼付面に塗布された粘着材の厚さ以下にとすると良い。
【００２８】
さらにまた、本実施の形態のカットローラ８には、破断用切込みを形成するための刃部８３と共に、シール１や台紙２にミシン目を形成するためのミシン目形成用の刃部を立設するように構成しても良い。この場合には、ミシン目形成用の刃部の刃先とベアラー部８２の周面との段差Ｘをなくし、ミシン目形成用の刃部によって台紙２にミシン目が形成されるように構成する。ミシン目形成用の刃部と破断用切込みを形成するための刃部８３とは、基体８１の円周上の対向する位置にそれぞれ立設し、ミシン目形成用の刃部と破断用切込みを形成するための刃部８３との間には、通過領域が形成されるように構成すると、破断用切込みとミシン目とを選択的に形成することが可能になる。
【００２９】
さらにまた、本実施の形態では、長さＬのシール１の中央部分にのみ破断用切込みを形成するようにしたが、破断用切込みをシール１の端部に達するように形成することも可能である。この場合には、中央制御部１４は、印字基点検出用光センサ７による印字基点の検出タイミングとプラテンローラ駆動部１０によるシール連続体３の搬送距離とによって、印字後のシール１の先端部もしくは後端部が基体８１の最下点Ｙに到達する時に、刃部８３も印字後のシール１に到達するように、カットローラ８の回転開始のタイミングを制御すると良い。
【００３０】
以上説明したように、本実施の形態によれば、印字後のシール１に破断用切込みを形成する破断用切込み形成機構を設けることにより、破断用切込みが形成されていない通常のシール１に印字を行った後に、不正貼り替え防止用シールに加工することができ、破断用切込みによって印字品質が劣化することがないという効果を奏する。
【００３１】
さらに、本実施の形態によれば、破断用切込み形成機構を、シールに破断用切込みを形成する刃部８３が形成されたカットローラ８で構成し、当該カットローラ８に刃部８３が形成されていない通過領域を形成することにより、複雑な機構を設けることなく、破断用切込みを形成するか否かを選択制御することができるという効果を奏する。
【００３２】
さらに、本実施の形態によれば、シール１の長さＬと、カットローラ８の一周分の長さＭとに基づいて、カットローラ８の回転数およびマージンＮを算出することにより、長さＬのシール１の中央部分にのみ破断用切込みを形成することができ、破断用切込みがシール１の端部にかかることを防止することができるため、印字後のシール１を使い勝手の良い不正貼り替え防止用シールに加工することができるという効果を奏する。
【００３３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３４】
【図１】本発明に係る印字装置の実施の形態の構成を示す概略構成図である。
【図２】図１に示すカットローラおよびガイドローラの構成を示す構成図である。
【図３】本発明に係る印字装置の実施の形態の破断用切込み形成動作を説明するためのフローチャートである。
【図４】本発明に係る印字装置の実施の形態の破断用切込みを形成しない場合の図１に示すカットローラの状態を説明するための説明図である。
【図５】本発明に係る印字装置の実施の形態の破断用切込みを形成する場合の図１に示すカットローラの動作を説明するための説明図である。
【図６】本発明に係る印字装置の実施の形態の破断用切込み形成動作によって形成された破断用切込み例を示す図である。
【図７】本発明に係る印字装置の実施の形態の破断用切込み形成動作によって形成された破断用切込み例を示す図である。
【符号の説明】
【００３５】
１  シール
２  台紙
３  シール連続体
４  供給リール
５  プラテンローラ
６  サーマルヘッド
７  印字基点検出用光センサ
８  カットローラ
９  ガイドローラ
１０  プラテンローラ駆動部
１１  印字制御部
１２  カットローラ駆動部
１３  入力部
１４  中央制御部
２０  破断用切込み
【図１】
2005103999.tif 000003
【図２】
2005103999.tif 000004
【図３】
2005103999.tif 000005
【図４】
2005103999.tif 000006
【図５】
2005103999.tif 000007
【図６】
2005103999.tif 000008
【図７】
2005103999.tif 000009